(57)【要約】      （修正有）【課題】苦味などの不快味を低減するための特定の医薬品添加剤を混合した内用液剤組成物を封入した内用液剤および該内用液剤を封入するための内用液剤封入容器を提供する。【解決手段】内用液剤組成物封入容器は、内用液剤組成物を収納する容器本体部と、容器本体部に固着または螺着された蓋部とからなる。内用液剤は、アミノ酢酸、銅クロロフィリン塩類またはグリチルリチン酸およびその塩類からなる群から選択される組成物と、アルギン酸ナトリウムとからなる内用液剤組成物を該容器本体に封入したものである。【選択図】図１
0003162776.tif 000002
【実用新案登録請求の範囲】
【請求項１】
内用液剤組成物を封入するための内用液剤組成物封入容器であって、
前記内用液剤組成物を収納する容器本体部と、
該容器本体部に固着または螺着された蓋部とからなる内用液剤組成物封入容器。
【請求項２】
アンプル容器である請求項１記載の内用液剤組成物封入容器。
【請求項３】
請求項１または２記載の内用液剤組成物封入容器に前記内用液剤組成物を封入した内用液剤。
【請求項４】
前記内用液剤組成物が、（Ａ）アルギン酸ナトリウムと、（Ｂ）アミノ酢酸、銅クロロフィリン塩類またはグリチルリチン酸およびその塩類からなる群から選択される１または２以上の組成物とからなる請求項３記載の内用液剤。
【考案の詳細な説明】
【技術分野】
【０００１】
本考案は内用液剤封入容器および該内用液剤封入容器に内用液剤組成物を封入した内用液剤に関する。
【背景技術】
【０００２】
従来、胃腸薬内用液剤には、種々の生薬が添加されており、かかる生薬成分の中には、リュタン、センブリ、オウバク、ニガキおよびコロンボなど、苦味があり不快感を生じるものがある。
【考案の概要】
【考案が解決しようとする課題】
【０００３】
本考案はかかる事情に鑑みて、苦味などの不快味を低減するための特定の医薬品添加剤を混合した内用液剤組成物を封入した内用液剤および該内用液剤を封入するための内用液剤封入容器を提供することを目的とする。
【課題を解決するための手段】
【０００４】
本考案の内用液剤組成物封入容器は、内用液剤組成物を封入するための内用液剤組成物封入容器であって、
前記内用液剤組成物を収納する容器本体部と、
該容器本体部に固着または螺着された蓋部とからなる。
【０００５】
前記内用液剤組成物封入容器が、アンプル容器であることが好ましい。
【０００６】
また、本考案は、内用液剤組成物封入容器に前記内用液剤組成物を封入した内用液剤である。
【０００７】
前記内用液剤組成物が、（Ａ）アルギン酸ナトリウムと、（Ｂ）アミノ酢酸、銅クロロフィリン塩類またはグリチルリチン酸およびその塩類からなる群から選択される１または２以上の組成物とからなることが好ましい。
【考案の効果】
【０００８】
本考案によれば、苦味などの不快味を低減するための特定の医薬品添加剤を混合した内用液剤組成物を封入した内用液剤および該内用液剤を封入するための内用液剤封入容器を提供することができる。
【図面の簡単な説明】
【０００９】
【図１】本考案の内用液剤組成物封入容器の一実施形態（実施の形態１）にかかる内用液剤組成物封入容器の斜視図である。
【図２】本考案の内用液剤の一実施形態（実施の形態２）にかかる内用液剤の断面図である。
【図３】本考案の内用液剤組成物封入容器の一実施形態（実施の形態２〜４）にかかる内用液剤組成物封入容器の説明図である。
【考案を実施するための形態】
【００１０】
以下、添付図面を参照しながら、本考案の内用液剤組成物封入容器および内用液剤を詳細に説明する。
【００１１】
実施の形態１
図１に示されるように、本考案の内用液剤組成物封入容器１は、内用液剤組成物を封入するための内用液剤組成物封入容器１であって、前記内用液剤組成物を収納する容器本体部２と、該容器本体部２に固着または螺着された蓋部３とからなる。
【００１２】
前記内用液剤組成物封入容器１としては特に限定されず、容器本体部２と蓋部３とからなる容器であればよい。たとえば、ガラス製や各種樹脂製のアンプル容器および熱可塑性樹脂製容器を使用することができる。アンプル容器を構成する樹脂および各種容器を構成する熱可塑性樹脂としては、たとえばポリエチレン、ポリプロピレン、ポリ塩化ビニルなどを例示することができる。なお、本実施の形態では、容器本体部２に蓋部３が固着されたアンプル容器を例示している。
【００１３】
本考案の内用液剤組成物封入容器１は、後述の内用液剤組成物を封入するための容器である。内用液剤組成物の容量としては特に制限されないが、一般的な容量のもの（３０ｍＬ、５０ｍＬなど）を採用することができる。また、内用液剤組成物封入容器１の色も特に制限されないが、内用液剤組成物の変質を防止する観点から褐色が好ましい。熱可塑性樹脂容器の容器形状も特に限定されない。たとえば図３（ａ）〜（ｃ）のものを採用することができる。図３（ａ）〜（ｃ）では、いずれも容器本体部２に蓋部３が螺着された内用液剤組成物封入容器１を例示している。
【００１４】
実施の形態２
次に、本考案の内用液剤４について説明する。
【００１５】
本考案の内容液剤４は、図２に示されるように、内用液剤組成物封入容器１に前記内用液剤組成物５を封入してなる。
【００１６】
前記内用液剤組成物５が、（Ａ）アルギン酸ナトリウムと、（Ｂ）アミノ酢酸、銅クロロフィリン塩類またはグリチルリチン酸およびその塩類からなる群れから選択される１または２以上の組成物とからなることが好ましい。
【００１７】
アルギン酸ナトリウム（Ａ）は、内用液剤組成物５に粘度を付与する目的で添加される。アルギン酸ナトリウム（Ａ）の配合量としては、０．２〜５．０重量％が好ましい。０．２重量％未満の場合、内用液剤組成物５の粘ちょう度が低くなる結果、たとえば生薬成分が沈殿するなどの問題が生じるおそれがある。また、５．０重量％を超える場合、内用液剤組成物５の粘ちょう度が高くなる結果、服用後に内用液剤組成物封入容器１内に内用液剤組成物５が残存し適応量を服用できないなどの問題が生じるおそれがある。
【００１８】
（Ｂ）成分は、アミノ酢酸、銅クロロフィリン塩類またはグリチルリチン酸およびその塩類からなる群れから選択される１または２以上の組成物である。
【００１９】
アミノ酢酸（グリシン）は、胃液に緩衝作用を付与する目的で添加される。アミノ酢酸の配合量としては、０．１〜０．９重量％が好ましい。０．１重量％未満の場合、目的とする効果が得られにくい傾向があり、０．９重量％を超える場合、甘味が増すことにより不快感を生じる傾向がある。
【００２０】
銅クロロフィリン塩類は、胃粘膜の保護および修復の目的で添加される。銅クロロフィリン塩類には、ナトリウム塩、カリウム塩が含まれる。銅クロロフィリン塩類の配合量としては、服用感や分散安定性を良好に保つ観点から、０．１〜０．２重量％が好ましい。
【００２１】
グリチルリチン酸およびその塩類は、ホスホリパーゼＡ2活性を阻害したり、プロスタグランジンＥ2の酸性を抑制することにより、抗炎症作用を付与する目的で添加される。グリチルリチン酸の塩類としては、二ナトリウム塩、三ナトリウム塩、二カリウム塩、一アンモニウム塩、二アンモニウム塩が含まれる。グリチルリチン酸およびその塩類の配合量としては、分散安定性および、グリチルリチン酸およびその塩類の特異な甘味を考慮して、０．０１〜０．０４重量％が好ましい。
【００２２】
本考案の内用液剤組成物５は、（Ａ）成分と（Ｂ）成分とが、前述の配合量となるよう水に溶解、分散されてなる。水としては特に限定されないが、精製水、滅菌精製水、注射用水を例示することができる。
【００２３】
本考案の内用液剤組成物５は、前述の（Ａ）成分、（Ｂ）成分、水のほかに生薬成分、制酸剤その他有効成分を配合することができる。制酸剤としては、水酸化アルミニウム、マグネシウム合剤、酸化マグネシウム、水酸化アルミニウムゲル、炭酸カルシウム、炭酸水素ナトリウム(重曹)を例示することができる。生薬成分としては、前述の苦味健胃薬のほか、胃腸改善目的で使用される生薬を使用することができる。生薬以外のその他有効成分としては、健胃成分（塩化カルニチン、乾燥酵母など）、消化成分（ジアスターゼ、リパーゼなど）、胃粘膜保護修復成分（Ｌ−グルタミン、アズレンスルホン酸ナトリウム、スクラルファートなど）、消泡成分（ジメチコンなど）を適量配合することができる。その他有効成分としては種々を例示できるが、その中で、たとえば防腐剤としては、パラオキシ安息香酸の各種エステル（メチルエステル、エチルエステル、プロピルエステルまたはブチルエステル）を、パラオキシ安息香酸として０．０１重量％以下加えることが好ましい。また、矯味剤、芳香剤としては、ｌ−メントール、ハッカ油、ケイヒ油などを適量加えることが好ましい。
【００２４】
本考案の内用液剤４によれば、生薬由来の不快味（特に苦味）を緩和できるとともに、胃液に対して緩衝作用を有することから、胃粘膜を保護し、びらんした胃粘膜を修復することができる。
【符号の説明】
【００２５】
１  内用液剤組成物封入容器
２  容器本体部
３  蓋部
４  内用液剤
５  内用液剤組成物
【図１】
0003162776.tif 000003
【図２】
0003162776.tif 000004
【図３】
0003162776.tif 000005